(57)【要約】【課題】一般製品を特別仕様対応で電源ボタンをロックするためには、筐体外部より治具を差し込んで電源ボタンをロックするしかなかったが、治具が筐体の挿入口より小さいために過大な力ではロックが外れてしまうという課題があった。【解決手段】筐体外部より治具を差し込んで、電源ボタンを外し、ロック装置を電源ボタンの内部に設置することで、過大な力でも電源ボタンをロックしているスペーサーが変形して、ロック状態の外れないロック装置を、他の部品を外すことなく設置できる。【選択図】図１
2008123935.tif 000002
【特許請求の範囲】
【請求項１】
電源ボタンをストローク運動させることで電源ボタンの機能を果たす構造において、電源ボタンの内側にスペーサーを嵌め込むことで電源ボタンをロックするロック装置。
【請求項２】
前記スペーサーの大きさを電源ボタンのストローク距離より概略０．５小さくするようにした請求項１に記載のロック装置。
【請求項３】
請求項１に記載のロック装置を電源ボタン内部に嵌め込むために、電源ボタンを筐体より取り外す電源制御装置。
【請求項４】
表示部を覆う筐体に嵌合され、前記表示部の電源を制御可能な電源ボタンと、
前記電源ボタンに設けられ、前記電源ボタンを前記筐体に固定する引掛り部とからなる電源制御装置であって、
前記筐体から着脱可能で、固定された前記電源ボタンを筐体から取り出す分解用治具と、
前記筐体の側部に、前記引掛り部と前記筐体との間に前記分解用治具を挿入可能な挿入口とを備え、
前記挿入口に前記分解用治具を挿入することにより、前記引掛り部と前記筐体との間に前記分解用治具を差し込むことにより、前記筐体から前記電源ボタンを取り出すことを特徴とする電源制御装置。
【請求項５】
前記電源制御装置は、さらに、前記電源ボタンと前記電源ボタンを固定する筐体の固定部との間にスプリングコイルを備えたことを特徴とする請求項４記載の電源制御装置。
【請求項６】
前記電源制御装置は、さらに、前記電源ボタンと前記電源ボタンを固定する筐体の固定部との間に、前記電源ボタンの押し下げを抑制可能なスペーサーを設けることが可能であることを特徴とする請求項４又は５記載の電源制御装置。
【請求項７】
前記スペーサーは、前記電源ボタンが前記表示部の電源制御を行うことができない高さに設定されていることを特徴とする請求項６記載の電源制御装置。
【発明の詳細な説明】
【技術分野】
【０００１】
本発明は電源ボタンのロック構造に関するものである。特に復帰式の電源ボタンに対するロック構造である。
【背景技術】
【０００２】
電子機器に備えられている電源ボタンを、特別な用途のために機能を果たさないように仕様を変更する場合がある。例えば、テレビ等の受像機器において、一般の商品をホテルやアミューズメントパーク・病院等に設置する場合、設置する側の希望により一般のお客様が勝手に電源を切ってしまわないように、電源を常時ＯＮの状態で、電源ボタンをロックした状態に仕様変更するような場合である。そのような特別仕様商品を、製造でのミスや混乱を避けるために、出来る限り通常の仕様商品の製造方法を変えずに製造できることが要望される。その要望を満たす方法の一つに、通常仕様の商品を製造後に、筐体の外側からスペーサーを差し込み、電源ボタンをロックする方法がある。図５と６は、従来のスペーサーを筐体の外側から差し込み、電源ボタンをロックする構造を示すものである。
【０００３】
図５において、筐体４の治具挿入口４１よりスペーサー６を差し込む。スペーサー６を差し込むと、図６のように電源ボタン１のストローク軌道上にスペーサー６の梁形状部分が配置される。それにより、電源ボタン１のストローク動作を規制し、電源ボタン機能がロックされる構造である。
【特許文献１】特開平７−２８２６６９号公報
【発明の開示】
【発明が解決しようとする課題】
【０００４】
しかしながら、安全・デザインなどの条件により、スペーサー６を差し込むための筐体４の治具挿入口４１は、一定の大きさより大きくすることができない。スペーサー６の電源ボタン１のストローク動作を規制する梁形状部６１の断面は、治具挿入口４１より小さい必要があるため、梁形状部分の断面２次モーメントが小さくなる。その結果、電源ボタン１を過剰な力で押すと、スペーサー６の梁形状部６１がたわんで、電源ボタン１をロックしている構造が外れるという課題を有していた。
【０００５】
またスペーサー６は、筐体４の外側から差し込む為に、最終的にも製品の表面に表れており、無理矢理スペーサー６を外すということが可能であり、スペーサーが外された場合には、電源を自由に調整することが可能になってしまうという課題を有していた。
【０００６】
また電源ボタン１の筐体４の外面からの位置により、スペーサー６の大きさを変更しなければならず、デザインによりスペーサー６を新規に作成しなければならなかった。
【課題を解決するための手段】
【０００７】
上記課題を解決するために、第１の発明は、電源ボタンのストローク動作を規制するために外部からスペーサーを差し込むのではなく、電源ボタンの内部にスペーサーを嵌め込むことで過剰な力で電源ボタンを押されてもスペーサーが変形し難く、電源ボタンのロックが外れる可能性が少なくなる。
【０００８】
また、第２の発明は、前記の電源ボタン内部に嵌め込むスペーサーの、電源ボタンのストローク軌道上に配置される部分の大きさを、電源ボタンのストローク距離より概略０．５ｍｍ小さくなるようにしたものであり、電源ボタンのストローク軌道上にスペーサーが配置されているために、電源ボタンのストローク距離が０．５ｍｍ程度に規制され、０．５ｍｍの尤度により電源ボタンの引掛り部が筐体に引っ掛かる構造を損なわずに、電源ボタンがロックされる。
【０００９】
また、第３の発明は、前記のスペーサーを電源ボタン内部に嵌め込むために、電源ボタンを筐体より取り外すための構造であり、筐体の治具挿入口より分解用治具を差し込み、電源ボタンの筐体に引っ掛けている部分を分解用治具によりたわませ、電源ボタンの引掛りが外れて、電源ボタンの内部にあるバネの力によって、電源ボタンが筐体より取り外される。
【発明の効果】
【００１０】
以上の構成より、本願発明においては、特定の用途に仕様される場合であっても、大幅な仕様の変更を行うことなく対応が可能になるとともに、より、確実に電源ボタンのロックを行うことが可能になるものである。
【発明を実施するための最良の形態】
【００１１】
（実施の形態１）
以下、図１から図４を用いて、本発明の実施の形態を説明する。
【００１２】
図１と２は本発明の電源ボタンの電源制御装置を提供する構造である。図１において、１は表示部等の本体の電源の制御を行う電源ボタンであり、２は電源ボタン１と表示部等の本体にある電源ボタンを固定する固定部との間に設けられるバネ（スプリングコイル）であり、３は電源ボタン１と固定部との間に設けられるスペーサー（ロック装置）であり、４は表示部等の本体を覆う筐体であり、１１は電源ボタン１に設けられ、先端に電源ボタン１を筐体４に固定するための形状を設けた引掛り部であり、４１は、筐体４の側部に設けられ、後述する電源ボタン１を筐体４から取り外すための分解用治具５を挿入する治具挿入口である。
【００１３】
次に、このような構成を備えた本願発明の電源制御装置の具体的な動作について、図２を参照しながら説明する。図２は、本発明の電源制御装置を使用していない通常状態（左図）と本発明の電源制御装置を使用した場合の電源ボタン１がロック状態（右図）において、電源ボタン１を力Ｆで押した場合の断面図である。
【００１４】
本発明の電源制御装置を使用していない通常状態では、電源ボタン１を押すと、電源ボタン１は筐体４と接触するまでガイドピン１２に沿ってストローク運動を行い、電源ボタンの機能を果たす。しかしながら、本発明の電源制御装置となるスペーサー３を電源ボタン１と筐体４の間に設置すると、電源ボタンのストローク軌道上にストローク動作距離ａの概略０．５ｍｍ小さいスペーサー３が配置され、電源ボタン１のストロークが０．５ｍｍ程度に規制され、電源ボタンがロックされた状態となる。これにより、電源ボタン１に力Ｆがかかった場合であっても、電源ボタン１により電源の制御を行うことはできない。
【００１５】
以上のように、本願発明のこのような構成により、電源ボタン１と筐体４により覆われた内部領域にスペーサー３を設けることにより、外部から電源ボタン１のロック機能であるスペーサーを取ることが困難となるため、徒に電源ボタンによる表示部等の本体の電源の制御を行うことが困難になり、設置者の意図に反して電源の制御が行われてしまうということを予防することが可能になるものである。
【００１６】
なお、上述した内容では、一例として、ストローク動作距離ａの概略０．５ｍｍ小さいスペーサーと説明したが、本願発明は、これに限定されるものではなく、スペーサー３の大きさは、仕様される機器やボタン自体の大きさ等から予想される電源ボタンにかかる圧力に応じて変更可能であるが、いずれの場合であっても、電源ボタン１が表示部の電源制御を行うことができない高さに設定されていることが必要である。
（実施の形態２）
次に、一般的に仕様されている商品に対して、上述した実施の形態１に示すような特定の用途に使用する場合のためのスペーサー等を取り付けるために、電源ボタン１を筐体４から取り外す構成について、図３から図４を参照して説明する。
【００１７】
図３と４は、本発明の電源制御装置を通常仕様の商品に設置するために、筐体４より電源ボタン１を分解用治具５を使用して、取り外す構造である。図４は、分解用治具５を筐体４の治具挿入口４１より差し込んで、電源ボタン１が筐体４より取り外される経緯を示した断面図である。
【００１８】
図３に示すように、本発明の電源制御装置は、表示部等の本体の電源の制御を行う電源ボタン１と、図示していないが、電源ボタン１と表示部等の本体にある電源ボタンを固定する固定部との間に設けられるバネ（スプリングコイル）２と、表示部等の本体を覆う筐体４と、筐体４から電源ボタン１を取り外すための分解用治具５と、図示していないが、電源ボタン１に設けられ、先端に電源ボタン１を筐体４に固定するための形状を設けた引掛り部１１と、筐体４の側部に設けられ、電源ボタン１を筐体４から取り外すための分解用治具５を挿入する治具挿入口４１により構成されている。以上のような構成に基づいて、具体的な電源ボタン１の取外し処理の内容について、図４を参照して説明する。
【００１９】
図４に示すように、本発明の電源制御装置を使用していない通常状態では、上段図に示すように、電源ボタン１の引掛り部１１が筐体４に引っ掛かり、バネ２の電源ボタン１を押し出そうとする力にも拘らず、電源ボタン１が筐体４に取り付いた状態になっている。
【００２０】
この状態に、分解用治具５を筐体４の側面に設けられた挿入口４１から挿入すると、電源ボタン１の引掛り部１１が分解治具５により内側に押し出され、筐体４との引っ掛かりがなくなる。引っ掛かりがなくなると、バネ２の力により電源ボタン１が筐体４より押し出される。この結果、他の部品を外すことなく電源ボタン１のみを取り外し、スペーサー３を電源ボタン内部に設置することが出来る。スペーサー３を電源ボタン内部に設置後、電源ボタン１を筐体４に差し込めば、再度電源ボタン１の引掛り部１１が筐体４に掛かり、電源ボタン１が元の状態に戻り、電源ボタン１がロックされた仕様の商品が完成する。
【００２１】
ここで、従来技術のスペーサー６を差し込む場合の筐体４の治具挿入口４１の位置は、スペーサー６が電源ボタン１のストローク軌道上に差し込まれなければならないため、電源ボタン１のストローク軌道の位置に治具挿入口４１が存在する。これに対して、分解治具５を差し込む場合の筐体４の治具挿入口４１の位置は、分解治具が電源ボタン１の引掛り部１１をたわませれば良いことより、図４に示すような電源ボタン１の引掛り部１１に当たるような位置に治具挿入口４１が存在する。
【００２２】
以上述べた構造により、本発明によれば、通常仕様の製品を製造後、ロックしたい電源ボタンのみを電源ボタン以外の部品を分解すること無く確実にロックすることができる。また、ロック後に外部からの故意的な力によりロックが外される可能性が少なくなる。また、分解用治具は、電源ボタンの引掛り部に届けば分解可能であるため、スペーサーや治具を他モデルと共用できる可能性が大きくなる。
【００２３】
なお、本実施の形態においては、治具挿入口４１から挿入された分解用治具５により、引掛り部１１を内側にたわませることにより、筐体４から電源ボタン１を取り出す構成について説明したが、本願発明は、これに限定されるものではなく、例えば、分解用治具５によって、筐体４の一部を変形させることにより、筐体４から電源ボタン１を取り出す構成とすることも可能である。
【産業上の利用可能性】
【００２４】
本発明による電源ボタンのロック装置は、通常仕様の製品を、簡単に、確実にロックすることができるため、今後増加が予測される一般商品を商業用へ改造する場合に有効である。
【図面の簡単な説明】
【００２５】
【図１】本発明の構成を示す斜視図
【図２】本発明の実施前と実施後における構成を示す断面図
【図３】本発明の構成を示す斜視図
【図４】本発明の構成を示す断面図
【図５】従来の技術の構成を示した斜視図
【図６】従来の技術の構成を示した断面図
【符号の説明】
【００２６】
１    電源ボタン
２    バネ
３    スペーサー
４    筐体
５    分解用治具
６    従来のスペーサー
１１    引掛り部
１２    ガイドピン
４１    筐体治具挿入口
６１    梁形状部
【図１】
2008123935.tif 000003
【図２】
2008123935.tif 000004
【図３】
2008123935.tif 000005
【図４】
2008123935.tif 000006
【図５】
2008123935.tif 000007
【図６】
2008123935.tif 000008